(57)【要約】【課題】発光素子の発光に伴う発熱問題を解決する。【解決手段】回転映像表示装置は、回転軸を中心に回転可能に構成された本体部と、前記本体部を回転させるためのモーターと、前記本体部に前記回転軸を中心に放射状に延長形成された複数のブレードと、前記複数のブレードそれぞれに備えられ、長手方向に沿って複数の発光素子が配列された発光素子アレイと、前記ブレードの回転に伴って前記発光素子アレイの発光を制御する制御部と、前記複数の発光素子の熱を放出するための放熱構造と、を備え、前記放熱構造は、前記ブレードに形成された複数の放熱孔及び放熱ピンのうち少なくとも一つを含む。【選択図】図２
2020076932.tif 000002
【特許請求の範囲】
【請求項１】
回転軸を中心に回転可能に構成された本体部と、
前記本体部を回転させるためのモーターと、
前記本体部に前記回転軸を中心に放射状に延長形成された複数のブレードと、
前記複数のブレードそれぞれに備えられ、長手方向に沿って複数の発光素子が配列された発光素子アレイと、
前記ブレードの回転に伴って前記発光素子アレイの発光を制御する制御部と、
前記複数の発光素子の熱を放出するための放熱構造と、
を備え、
前記放熱構造は、前記ブレードに形成された複数の放熱孔及び放熱ピンのうち少なくとも一つを含む、
回転映像表示装置。
【請求項２】
前記複数の放熱孔は、前記複数の発光素子に対して前記ブレードが回転する回転方向の上流側から下流側に空気の流路を作るように形成されている、
請求項１に記載の回転映像表示装置。
【請求項３】
前記流路は、前記上流側から前記下流側に直線状に形成されている、
請求項２に記載の回転映像表示装置。
【請求項４】
前記流路は、前記上流側から前記下流側に前記回転軸を中心とする円弧状に形成されている、
請求項２に記載の回転映像表示装置。
【請求項５】
前記ブレードは、前記発光素子アレイが設けられたブレード本体と、前記発光素子アレイを覆うように前記ブレード本体と結合するブレードカバーを含み、
前記複数の放熱孔は、前記ブレードカバー及び前記ブレード本体のうち少なくとも一つに形成されている、
請求項１に記載の回転映像表示装置。
【請求項６】
前記複数の放熱ピンは、一端が前記ブレードの後面に露出され、他端が前記ブレード内に挿入されて前記複数の発光素子側に延長形成されている、
請求項１に記載の回転映像表示装置。
【請求項７】
前記長手方向の中心側から外側に延長形成されて前記ブレードに設けられた金属板をさらに備え、
前記複数の放熱ピンの他端は前記金属板と接する、
請求項６に記載の回転映像表示装置。
【請求項８】
前記金属板は前記ブレードの前面に設けられ、
前記複数の発光素子は前記金属板の前面に接して設けられた印刷回路基板（ＰＣＢ）に設けられる、
請求項７に記載の回転映像表示装置。
【請求項９】
前記複数の放熱ピンは前記ブレードの少なくとも一側面部で外部に露出される、
請求項６に記載の回転映像表示装置。
【請求項１０】
前記制御部は前記複数の発光素子に対して低電力と高電力を選択的に供給する、
請求項１に記載の回転映像表示装置。
【発明の詳細な説明】
【技術分野】
【０００１】
本発明は、回転映像表示装置に関する。
【背景技術】
【０００２】
従来の回転映像表示装置の一例として、特許文献１に記載の装置は、複数のライトアレイ、それぞれのライトアレイが独立的に接続するコントロールボード、及び回転軸を介してコントロールボードを回転させるモーターで構成される。
【０００３】
モーターの駆動力によって回転するそれぞれのライトアレイに含まれた発光素子は、コントロールボードによって発光が制御される。コントロールボードは、設定した映像を表示するためにそれぞれの発光素子の発光を回転位置及び時間によって制御し、発光状態で回転する発光素子の残像によって、設定した映像がホログラムの形で表示される。
【０００４】
このような回転映像表示装置は、映像コンテンツによって広告を始めとする様々な目的で活用されており、ますますその活用範囲が広がっている。
【先行技術文献】
【特許文献】
【０００５】
【特許文献１】米国特許公開公報第２０１７／０１２４９２５号
【発明の概要】
【発明が解決しようとする課題】
【０００６】
回転映像表示装置はその活用範囲が広がるほど、映像の質、即ち映像の高い解像度と鮮明度に対する要求が高まっている。
【０００７】
特に、鮮明度は発光素子に印加する電流に比例するが、印加する電流を上げるほどこれによる発熱が増えるので、電流を上げるには限界がある。
【０００８】
本発明は、上述した従来の要求に応えるために成されたものであり、本発明の少なくとも一つの実施例では、発光素子の発光に伴う発熱の問題を解決し、高い解像度または鮮明度で表示可能な回転映像表示装置を提供することを目的とする。
【０００９】
本発明の解決課題は以上で言及されたものに限定されず、言及されていない他の解決課題は下記の記載から当該技術分野における通常の知識を有した者に明確に理解できるであろう。
【課題を解決するための手段】
【００１０】
本発明の少なくとも一つの実施例においては、回転軸を中心に回転可能に構成された本体部と、前記本体部を回転させるためのモーターと、前記本体部に前記回転軸を中心に放射状に延長形成された複数のブレードと、前記複数のブレードそれぞれに備えられ、長手方向に沿って複数の発光素子が配列された発光素子アレイと、前記ブレードの回転に伴って前記発光素子アレイの発光を制御する制御部と、前記複数の発光素子の熱を放出するための放熱構造と、を備え、前記放熱構造は、前記ブレードに形成された複数の放熱孔及び放熱ピンのうち少なくとも一つを含む、回転映像表示装置を提供する。
【００１１】
本発明の少なくとも一つの実施例において、前記複数の放熱孔は、前記複数の発光素子に対して前記ブレードが回転する回転方向の上流側から下流側に空気の流路を作るように形成される。
【００１２】
本発明の少なくとも一つの実施例において、前記流路は、前記上流側から前記下流側に直線状に形成される。
【００１３】
本発明の少なくとも一つの実施例において、前記流路は、前記上流側から前記下流側に前記回転軸を中心とする円弧状に形成される。
【００１４】
本発明の少なくとも一つの実施例において、前記ブレードは、前記発光素子アレイが設けられたブレード本体と、前記発光素子アレイを覆うように前記ブレード本体と結合するブレードカバーを含み、前記複数の放熱孔は、前記ブレードカバー及び前記ブレード本体のうち少なくとも一つに形成される。
【００１５】
本発明の少なくとも一つの実施例において、前記複数の放熱ピンは、一端が前記ブレードの後面に露出され、他端が前記ブレード内に挿入されて前記複数の発光素子側に延長形成される。
【００１６】
本発明の少なくとも一つの実施例において、前記回転映像表示装置は、前記長手方向の中心側から外側に延長形成されて前記ブレードに設けられた金属板をさらに備え、前記複数の放熱ピンの他端は前記金属板と接する。
【００１７】
本発明の少なくとも一つの実施例において、前記金属板は前記ブレードの前面に設けられ、前記複数の発光素子は前記金属板の前面に接して設けられた印刷回路基板（ＰＣＢ）に設けられる。
【００１８】
本発明の少なくとも一つの実施例において、前記複数の放熱ピンは前記ブレードの少なくとも一側面部で外部に露出される。
【００１９】
本発明の少なくとも一つの実施例において、前記制御部は前記複数の発光素子に対して低電力と高電力を選択的に供給する。
【発明の効果】
【００２０】
本発明の少なくとも一つの実施例によれば、発光素子の発光に伴う発熱問題を解決し、高い解像度または鮮明度で表示可能な回転映像表示装置を提供することができるという効果を奏する。
【図面の簡単な説明】
【００２１】
【図１】本発明の少なくとも一つの実施例に係る回転映像表示装置の斜視図である。
【図２】本発明の少なくとも一つの実施例に係る回転映像表示装置の分解斜視図である。
【図３】図２に示す回転映像表示装置のＡ部分の部分拡大図である。
【図４】図２に示す回転映像表示装置のＢ部分の部分拡大図である。
【図５】図２に示す回転映像表示装置のＣ部分の部分拡大図で、ブレードに形成した複数の放熱孔を示す。
【図６】ブレードに形成した放熱孔をブレードの側面から見た概略図である。
【図７】本発明の少なくとも一つの実施例に係る放熱孔の形状構造を示す概略図である。
【図８】図２に示す回転映像表示装置Ｃ部分の部分拡大図で、ブレードに形成した複数の放熱ピンを示す。
【図９】ブレードに形成した放熱ピンをブレードの側面から見た概略図である。
【図１０】図９に示す放熱孔の形状構造をブレードの前方で見た概略図である。
【図１１】本発明の少なくとも一つの実施例に係放熱ピンの形状を示す概略図である。
【発明を実施するための形態】
【００２２】
以下、添付図面を参照し、本発明に係る実施例について詳しく説明する。
【００２３】
図１は、本発明に係る一実施例の回転映像表示装置１００の組み立てられた全体の姿を示す。
【００２４】
映像表示装置１００、図２に示すように、本体部１２３と、ブレード１２０と、ＬＥＤ  ＰＣＢ１３０と、メインコントローラー１４０と、モーター部１１０とを備える。
【００２５】
モーター部１１０はモータハウジングとその内部に設けられたモーターを含み、本体部１２３はモータハウジングに回転可能に支持されてモーターの回転軸と接続される。
【００２６】
ブレード１２０は本体部１２３にから放射状に延長形成され、本体部１２３と共に回転する。
【００２７】
ブレード１２０は、図２に示すように、ブレード本体１２０ａとブレードカバー１２０ｂを含む。
【００２８】
ブレード本体１２０ａは、モーターの回転軸と接続された下部本体部１２３ａから延長形成される。そして、ブレードカバー１２０ｂは、ブレード本体１２０ａの全面を覆いながらＬＥＤ  ＰＣＢ１３０を覆ってカバーする。
【００２９】
下部本体部１２３ａは、ブレード本体１２０ａの３か所で半径方向に長く延長形成されている。ブレードの数は３個に限定されることはなく、４個またはそれ以上でも良い。
【００３０】
下部本体部１２３ａの下端部は円板形状の底部（不図示）を含み、この底部はモータハウジングの上部から回転可能に支持されながらモーター回転軸と共に回転するように結合される。
【００３１】
下部本体部１２３ａの、その内部でメインコントローラー１４０及びＬＥＤ  ＰＣＢ１３０の中央部が収容される所定の収容空間を提供する。
【００３２】
ブレード本体１２０ａは、その前方面に長手方向（半径方向）に長く形成され、ＬＥＤ  ＰＣＢ１３０が収容されるＰＣＢ装着溝１２１ａを含む。
【００３３】
ブレードカバー１２０ｂは、上部本体部１２３ｂから半径方向に延長形成される。
【００３４】
上部本体部１２３ｂは下部本体部１２３ａを覆い、ブレードカバー１２０ｂはブレード本体１２０ａの上を覆って結合される。
【００３５】
ブレードカバー１２０ｂは、図４に示すように、透明な材質でできている透明窓１２１ｂを含む。透明窓１２１ｂは、ブレードカバー１２０ｂに対して長手方向（回転中心に対して半径方向）に長く形成され、発光素子１３２からの光が外部に透過されるようにする。透明窓１２１ｂは、外部から発光素子１３２が見えるようにするためのものであり、発光素子１３２の位置に対応する位置に形成される。
【００３６】
ブレードカバー１２０ｂの透明窓１２１ｂ以外の部分は、好ましくは不透明な材質ででき、外部からはその内部が見えない。
【００３７】
好ましくは、ブレード本体１２０ａとブレードカバー１２０ｂはプラスチックで射出成型される。
【００３８】
ＬＥＤ  ＰＣＢ１３０は、全体が三つのピースで分離されており、それぞれ独立的にブレード本体１２０ａに挿入して組み立てることができる。
【００３９】
ＬＥＤ  ＰＣＢ１３０は、図３に示すように、印刷回路基板（ＰＣＢ）１３１と基板１３１の長手方向（半径方向）に対して一列に設けられた発光素子であるＬＥＤ１３２とそれぞれのＬＥＤ１３２に対する駆動チップ１３３を含む。本実施例で、ＬＥＤ１３２の数は解像度によって決めることができる。例えば、ＬＥＤ１３２の数は２５６、５１２、１０２４などである。
【００４０】
駆動チップ１３３は、ＬＥＤコントローラーで、メインコントローラー１４０と共にＬＥＤ１３２の発光を制御する制御部を構成する。メインコントローラー１４０から発光に対する制御信号を受けたそれぞれの駆動チップ１３３は、その信号に従って該当するＬＥＤ１３２の発光を制御する。ここで、メインコントローラー１４０からの制御信号は、所定の映像を表示するためにプログラムされた信号である。
【００４１】
メインコントローラー１４０は、メインプロセッサとメモリーを含み、通信モジュールと無線電力受信モジュールをさらに含むことができる。表示される映像はメモリーに格納することができ、メインプロセッサによってアクセスされる。メインプロセッサは、メモリーから読み込んだ映像情報によって該当する映像を表示するためのＬＥＤ発光制御信号をそれぞれのＬＥＤの駆動チップ１３３に、転送する。
【００４２】
さらに、通信モジュールを介して外部から映像などを受信することができ、無線電力受信モジュールを介しては、外部の無線電力送信モジュールから電力を受信することができる。例えば、無線電力送信モジュールはモーター部に設けることができる。
【００４３】
印刷回路基板（ＰＣＢ）１３１は、ブレード本体１２０ａに形成した装着溝１２１ａに挿入して装着する。装着溝１２１ａの深さは、印刷回路基板（ＰＣＢ）１３１が完全に挿入されるように、印刷回路基板（ＰＣＢ）１３１の厚さ程度に形成することが望ましい。
【００４４】
さらに、装着溝１２１ａの円周方向の幅は、印刷回路基板（ＰＣＢ）１３１の円周方向の幅に合わせて設計するのが望ましく、これを介して回転中にＬＥＤ  ＰＣＢ１３０がブレード１２０の装着溝１２１ａの中で揺れないし、動かないようにする。
【００４５】
図５は、放熱構造としてブレード本体１２０ａに放熱孔１２２を形成した場合を、図２のＣ部分に対応して示した拡大図である。
【００４６】
放熱孔１２２に関し、図６及び図７を参照し、詳しく説明する。
【００４７】
図６は、ブレード１２０の側面を示す概略図である。図６に示すように、ブレードカバー１２０ｂとブレード本体１２０ａが結合してブレード１２０を構成し、その内部に印刷回路基板（ＰＣＢ）１３１及び発光素子であるＬＥＤ１３２が設けられる。
【００４８】
ブレード本体１２０ａには、ＬＥＤ１３２の位置に対応して側方に貫通する第１放熱孔１２２ａが形成されている。そして、ブレードカバー１２０ｂにも、ＬＥＤ１３２の位置に対応して第２放熱孔１２２ｂが形成されている。このように、第１放熱孔１２２ａ及び第２放熱孔１２２ｂはそれぞれのＬＥＤ１３２ごとに対応して形成される。
【００４９】
ブレード１２０が回転すると、第１放熱孔１２２ａと第２放熱孔１２２ｂに空気が流れ、その空気の流れでＬＥＤ１３２の熱が放出される。即ち、第１放熱孔１２２ａと第２放熱孔１２２ｂによってＬＥＤ１３２が空冷されることになる。
【００５０】
このような放熱孔１２２は、ブレード１２０に対して上流側から下流側に貫通ホールとして形成することができ、その形状の構造は図７に示すように直線状または円弧形状にすることができる。即ち、図７は前方から見た形状を示しており、（ａ）には放熱孔１２２の形状が直線の場合を例として示し、（ｂ）には円弧形状の場合を例として示している。
【００５１】
放熱孔１２２の形状が直線の場合、放熱孔１２２を形成することが容易であり、円弧形状の場合は、放熱孔１２２の中で空気の流れが回転方向に合わせられるので空気抵抗が小さくなるメリットがある。さらに、小さい空気抵抗は空力騒音を減らす効果がある。
【００５２】
以下では、図８ないし図１１を参照し、放熱構造の他の実施例として放熱ピン１５０に関して説明する。
【００５３】
図８は、放熱構造としてブレード本体１２０ａに放熱ピン１５０を形成した場合を、図２のＣ部分に対応して示した拡大図である。
【００５４】
図９は、回転センターラインＣＬを中心に回転するブレード１２０を側方から見た形を示し、図１０は、前方から見た形を示す。
【００５５】
放熱ピン１５０は、それぞれのＬＥＤ１３２に対応してブレード本体１２０ａに設けられる。放熱ピン１５０は、好ましくは、図９に示すように、後面１５４がブレード本体１２０ａの後面に露出されて外部の空気と接触できるようにする。さらに、好ましくは、図１０に示すように、両側面１５２、１５３もブレード本体１２０ａの側面から外側に露出されるようにする。より好ましくは、放熱ピン１５０の後面１５４と両側面１５２、１５３は、図９及び図１０に示すように、ブレード１２０の表面から突出して空気との接触面積をより大きく確保する。ブレード１２０の回転による空力騒音が問題になる場合は、放熱ピン１５０の後面１５４と両側面１５２、１５３をブレード１２０の表面から露出されるのみで突出しないようにすることも可能である。
【００５６】
本実施例において、放熱ピン１５０以外に金属板１６０がさらに備えられる。
【００５７】
金属板１６０は、図９及び図１０に示すように、印刷回路基板（ＰＣＢ）１３１と隣接して、または接して設けられ、印刷回路基板（ＰＣＢ）１３１からの熱を受ける。金属板１６０の前面または印刷回路基板（ＰＣＢ）１３１の裏面には非伝導性の物質のコーティング層が形成されているのが望ましい。
【００５８】
放熱ピン１５０の前面１５１は、金属板１６０の裏面と接して金属板１６０に伝わった熱を外部に放出する。
【００５９】
放熱ピン１５０と金属板１６０は、放熱効果を高めるために熱伝導性の高い金属で形成するのが望ましい。
【００６０】
図１１は、ブレード本体１２０ａ、印刷回路基板（ＰＣＢ）１３１、金属板１６０、及び放熱ピン１５０が組み立てられた状態に対し、半径方向の断面を示す。
【００６１】
ブレード本体１２０ａは、プラスチックの射出成型によって形成することができ、成形された後に前面側からまず金属板１６０が挿入されて設けられ、その上に印刷回路基板（ＰＣＢ）１３１が装着溝１２１ａに挿入されて設けられる。
【００６２】
そして、放熱ピン１５０をブレード本体１２０ａの後面部から挿入し、その前面が金属板１６０の裏面に接するように設けることで組み立てられる。図示しないが、ブレード本体１２０ａの後面部には放熱ピン１５０を挿入するためのスリットを形成しても良い。
【００６３】
さらに、ブレード本体１２０ａは、放熱ピン１５０と共にインサート射出成型によって形成することができる。放熱ピン１５０には結合ホール１５５が形成され、インサート射出の際に射出溶融物が結合ホール１５５を介して連続的につながり、放熱ピン１５０とブレード本体１２０ａの結合力を強化することができる。
【００６４】
金属板１６０は、放熱ピン１５０とブレード本体１２０ａがインサート射出成型された後に挿入して組み立てることができるが、射出成型の際に一緒にインサートして一体化することもできる。
【００６５】
本実施例では放熱孔１２２または放熱ピン１５０のみを形成する場合を例として説明しているが、他の実施例では放熱孔１２２と放熱ピン１５０を組み合わせて形成することもできる。即ち、ブレード本体１２０ａに設けられた放熱ピン１５０とブレード１２０に形成した放熱孔１２２を両方とも放熱構造として用いても良い。
【００６６】
メインコントローラー１４０またはＬＥＤ駆動チップ１３３は、表示する映像によってＬＥＤ１３２の発光強度を異ならせることができる。即ち、映像で鮮明度が高い領域に対しては該当するＬＥＤ１３２に高電力を供給し、その他のＬＥＤ１３２に対しては低電力を供給するように制御することができる。高電力の電源が供給されてＬＥＤ１３２の発熱量が大きくなっても、前述した放熱構造のお陰で効果的に熱を放出することができるので、発熱による問題が発生しづらくなる。
【符号の説明】
【００６７】
１００：回転映像表示装置                    １１０：モーター部
１２０：ブレード                           １２０ａ：ブレード本体
１２０ｂ：ブレードカバー                    １２１ａ：装着溝
１２１ｂ：透明窓                            １２２ａ：第１放熱孔
１２２ｂ：第２放熱孔                        １２３ａ：上部本体部
１２３ｂ：下部本体部                        １３０：ＬＥＤ  ＰＣＢ
１３１：印刷回路基板（ＰＣＢ）              １３２：発光素子（ＬＥＤ）
１３３：駆動チップ（制御部）                １４０：メインコントローラー（制御部）
１５０：放熱ピン                            １５１：（放熱ピン）前面
１５２、１５３：(放熱ピン)側面              １５４：（放熱ピン）後面
１５５：結合ホール                          １６０：金属板
ＣＬ：センターライン
【図１】
2020076932.tif 000003
【図２】
2020076932.tif 000004
【図３】
2020076932.tif 000005
【図４】
2020076932.tif 000006
【図５】
2020076932.tif 000007
【図６】
2020076932.tif 000008
【図７】
2020076932.tif 000009
【図８】
2020076932.tif 000010
【図９】
2020076932.tif 000011
【図１０】
2020076932.tif 000012
【図１１】
2020076932.tif 000013
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
回転軸を中心に回転可能に構成された本体部と、
前記本体部を回転させるためのモーターと、
前記本体部に前記回転軸を中心に放射状に延長形成された複数のブレードと、
前記複数のブレードそれぞれに備えられ、長手方向に沿って複数の発光素子が配列された発光素子アレイと、
前記ブレードの回転に伴って前記発光素子アレイの発光を制御する制御部と、
前記複数の発光素子の熱を放出するための放熱構造と、
を備え、
前記放熱構造は、前記ブレードに形成された複数の放熱孔を含み、
前記複数の放熱孔は、前記複数の発光素子に対して前記ブレードが回転する回転方向の上流側から下流側に空気の流路を作るように形成されている、
回転映像表示装置。
【請求項２】
前記流路は、前記上流側から前記下流側に直線状に形成されている、
請求項１に記載の回転映像表示装置。
【請求項３】
前記流路は、前記上流側から前記下流側に前記回転軸を中心とする円弧状に形成されている、
請求項１に記載の回転映像表示装置。
【請求項４】
回転軸を中心に回転可能に構成された本体部と、
前記本体部を回転させるためのモーターと、
前記本体部に前記回転軸を中心に放射状に延長形成された複数のブレードと、
前記複数のブレードそれぞれに備えられ、長手方向に沿って複数の発光素子が配列された発光素子アレイと、
前記ブレードの回転に伴って前記発光素子アレイの発光を制御する制御部と、
前記複数の発光素子の熱を放出するための放熱構造と、
を備え、
前記ブレードは、前記発光素子アレイが設けられたブレード本体と、前記発光素子アレイを覆うように前記ブレード本体と結合するブレードカバーを含み、
前記放熱構造は、前記ブレードカバー及び前記ブレード本体のうち少なくとも一つに形成された複数の放熱孔を含む、
回転映像表示装置。
【請求項５】
前記ブレードに形成された複数の放熱ピンをさらに有し、前記複数の放熱ピンは、一端が前記ブレードの後面に露出され、他端が前記ブレード内に挿入されて前記複数の発光素子側に延長形成されている、
請求項１ないし４の何れか一項に記載の回転映像表示装置。
【請求項６】
前記長手方向の中心側から外側に延長形成されて前記ブレードに設けられた金属板をさらに備え、
前記複数の放熱ピンの他端は前記金属板と接する、
請求項５に記載の回転映像表示装置。
【請求項７】
前記金属板は前記ブレードの前面に設けられ、
前記複数の発光素子は前記金属板の前面に接して設けられた印刷回路基板（ＰＣＢ）に設けられる、
請求項６に記載の回転映像表示装置。
【請求項８】
前記複数の放熱ピンは前記ブレードの少なくとも一側面部で外部に露出される、
請求項５に記載の回転映像表示装置。
【請求項９】
前記制御部は前記複数の発光素子に対して低電力と高電力を選択的に供給する、
請求項１ないし８の何れか一項に記載の回転映像表示装置。
【外国語明細書】
2020076932.tif 000014
2020076932.tif 000015
2020076932.tif 000016
2020076932.tif 000017
2020076932.tif 000018
2020076932.tif 000019
2020076932.tif 000020
2020076932.tif 000021
2020076932.tif 000022
2020076932.tif 000023
2020076932.tif 000024
2020076932.tif 000025
2020076932.tif 000026
2020076932.tif 000027
2020076932.tif 000028
2020076932.tif 000029
2020076932.tif 000030
2020076932.tif 000031
2020076932.tif 000032
2020076932.tif 000033
2020076932.tif 000034
2020076932.tif 000035